(57)【要約】【課題】キャリブレーションの内容に適した確認画像を選択し、確認画像を見たユーザがキャリブレーションの効果を確認しやすい画像処理装置等を提供する。【解決手段】表示装置の色再現特性を取得する第１の色変換部２１５と、色再現特性を補正する補正係数作成部２１８と、第１の色変換部２１５で取得した色再現特性を補正する対象となった特徴量を抽出する特徴量抽出部２２０と、第１の色変換部２１５で取得した補正前の色再現特性を使用したときの画像と補正係数作成部２１８で補正した色再現特性を使用したときの画像とを含む確認画像を作成するための元となる評価画像を、特徴量に基づき選択する評価画像選択部２２１と、を備える画像処理装置。【選択図】図４
2018026696.tif 000002
【特許請求の範囲】
【請求項１】
表示装置の色再現特性を取得する色再現特性取得部と、
前記色再現特性を補正する色再現特性補正部と、
前記色再現特性取得部で取得した前記色再現特性を補正する対象となった特徴量を抽出する特徴量抽出部と、
前記色再現特性取得部で取得した補正前の色再現特性を使用したときの画像と前記色再現特性補正部で補正後の色再現特性を使用したときの画像とを含む確認画像を作成するための元となる評価画像を、前記特徴量に基づき選択する評価画像選択部と、
を備える画像処理装置。
【請求項２】
前記確認画像として、前記補正前の色再現特性を使用したときの画像と前記補正後の色再現特性を使用したときの画像とを前記特徴量に応じて変更し作成する確認画像作成部をさらに備えることを特徴とする請求項１に記載の画像処理装置。
【請求項３】
前記確認画像作成部は、前記確認画像として、階調特性を表す画像を作成することを特徴とする請求項２に記載の画像処理装置。
【請求項４】
前記確認画像作成部は、前記補正前の色再現特性を使用したときの画像および前記補正後の色再現特性を使用したときの画像の背景を黒色とすることを特徴とする請求項２または３に記載の画像処理装置。
【請求項５】
前記色再現特性は、測色用画像の画像データである測色用画像データと当該測色用画像データを前記表示装置に入力したときに表示される画像の色データとの関係であることを特徴とする請求項１乃至４の何れか１項に記載の画像処理装置。
【請求項６】
表示装置の色再現特性を取得する色再現特性取得工程と、
前記色再現特性を補正する色再現特性補正工程と、
前記色再現特性取得工程で取得した前記色再現特性を補正する対象となった特徴量を抽出する特徴量抽出工程と、
前記色再現特性取得工程で取得した補正前の色再現特性を使用したときの画像と前記色再現特性補正工程で補正後の色再現特性を使用したときの画像とを含む確認画像を作成するための元となる評価画像を、前記特徴量に基づき選択する評価画像選択工程と、
を含む画像処理方法。
【請求項７】
画像を表示する表示装置と、
前記表示装置で表示される画像の色再現特性の補正を行なう画像処理装置と、
を備え、
前記画像処理装置は、
前記表示装置の前記色再現特性を取得する色再現特性取得部と、
前記色再現特性を補正する色再現特性補正部と、
前記色再現特性取得部で取得した前記色再現特性を補正する対象となった特徴量を抽出する特徴量抽出部と、
前記色再現特性取得部で取得した補正前の色再現特性を使用したときの画像と前記色再現特性補正部で補正後の色再現特性を使用したときの画像とを含む確認画像を作成するための元となる評価画像を、前記特徴量に基づき選択する評価画像選択部と、
を備える画像処理システム。
【請求項８】
コンピュータに、
表示装置の色再現特性を取得する色再現特性取得機能と、
前記色再現特性を補正する色再現特性補正機能と、
前記色再現特性取得機能で取得した前記色再現特性を補正する対象となった特徴量を抽出する特徴量抽出機能と、
前記色再現特性取得機能で取得した補正前の色再現特性を使用したときの画像と前記色再現特性補正機能で補正後の色再現特性を使用したときの画像とを含む確認画像を作成するための元となる評価画像を、前記特徴量に基づき選択する評価画像選択機能と、
を実現させるプログラム。
【発明の詳細な説明】
【技術分野】
【０００１】
本発明は、画像処理装置、画像処理方法、画像処理システム、プログラムに関する。
【背景技術】
【０００２】
近年は、ＰＣ（Personal Computer）等のコンピュータ装置を使用し、ＣＧ（Computer Graphics）等により製品のデザインを行う場合が多くなってきている。この場合、デザイナーは、ＰＣ等に接続された液晶ディスプレイ等の表示装置に製品の画像を出力してデザインを行うことになる。
しかしながら表示装置で出力する際に同様の画像データを使用しても、それぞれの表示装置の色再現特性（プロファイル）は異なる。そのためこれに起因して出力される画像は、同様の色表現とはならないのが通常である。またこの色再現特性は、表示装置の製造者や型番が異なれば異なるものである。さらに同様の製造者の同様の型番のものでも製造時のばらつきや、経年変化によりやはり色再現特性が異なることがある。表示装置のそれぞれの色表現が異なる場合、デザイナーは、製品の色について正確に把握することができず、デザインを行うのに支障が生じることになる。
よって例えば、複数の表示装置の色表現を合致させたり、経年変化による色表現のずれを修正するために色表現特性の補正（キャリブレーション）を行なうことが従来行なわれている。
【０００３】
特許文献１には、プルーフ用の調整画像、及びチャート画像について、色変換前後の画像をそれぞれ別ウィンドウとして並列に表示し、これらウィンドウのいずれかにおいて調整対象となる任意の色範囲を選択し、選択された色範囲についての調整パラメータを設定し、この調整パラメータに基づいて色変換条件を調整する画像処理方法が記載されている。
【先行技術文献】
【特許文献】
【０００４】
【特許文献１】特開２００３−８７５９１号公報
【発明の概要】
【発明が解決しようとする課題】
【０００５】
キャリブレーション後にキャリブレーションの効果を確認するための確認画像をユーザに表示することがある。この確認画像は、例えば、キャリブレーションの結果について数値を表示し、ユーザがその数値より補正精度の確認をしたり、キャリブレーション前（補正前）とキャリブレーション後（補正後）のそれぞれの画像を表示し、ユーザがそれを見て確認するなどの方法がとられる。
しかしながら後者の方法では、確認画像がキャリブレーションの内容に適したものでないと、確認画像を見たユーザがキャリブレーションの効果を確認することが困難となる場合が生ずる。
本発明は、キャリブレーションの内容に適した確認画像を選択し、確認画像を見たユーザがキャリブレーションの効果を確認しやすい画像処理装置等を提供することを目的とする。
【課題を解決するための手段】
【０００６】
請求項１に記載の発明は、表示装置の色再現特性を取得する色再現特性取得部と、前記色再現特性を補正する色再現特性補正部と、前記色再現特性取得部で取得した前記色再現特性を補正する対象となった特徴量を抽出する特徴量抽出部と、前記色再現特性取得部で取得した補正前の色再現特性を使用したときの画像と前記色再現特性補正部で補正後の色再現特性を使用したときの画像とを含む確認画像を作成するための元となる評価画像を、前記特徴量に基づき選択する評価画像選択部と、を備える画像処理装置である。
請求項２に記載の発明は、前記確認画像として、前記補正前の色再現特性を使用したときの画像と前記補正後の色再現特性を使用したときの画像とを前記特徴量に応じて変更し作成する確認画像作成部をさらに備えることを特徴とする請求項１に記載の画像処理装置である。
請求項３に記載の発明は、前記確認画像作成部は、前記確認画像として、階調特性を表す画像を作成することを特徴とする請求項２に記載の画像処理装置である。
請求項４に記載の発明は、前記確認画像作成部は、前記補正前の色再現特性を使用したときの画像および前記補正後の色再現特性を使用したときの画像の背景を黒色とすることを特徴とする請求項２または３に記載の画像処理装置である。
請求項５に記載の発明は、前記色再現特性は、測色用画像の画像データである測色用画像データと当該測色用画像データを前記表示装置に入力したときに表示される画像の色データとの関係であることを特徴とする請求項１乃至４の何れか１項に記載の画像処理装置である。
請求項６に記載の発明は、表示装置の色再現特性を取得する色再現特性取得工程と、前記色再現特性を補正する色再現特性補正工程と、前記色再現特性取得工程で取得した前記色再現特性を補正する対象となった特徴量を抽出する特徴量抽出工程と、前記色再現特性取得工程で取得した補正前の色再現特性を使用したときの画像と前記色再現特性補正工程で補正後の色再現特性を使用したときの画像とを含む確認画像を作成するための元となる評価画像を、前記特徴量に基づき選択する評価画像選択工程と、を含む画像処理方法である。
請求項７に記載の発明は、画像を表示する表示装置と、前記表示装置で表示される画像の色再現特性の補正を行なう画像処理装置と、を備え、前記画像処理装置は、前記表示装置の前記色再現特性を取得する色再現特性取得部と、前記色再現特性を補正する色再現特性補正部と、前記色再現特性取得部で取得した前記色再現特性を補正する対象となった特徴量を抽出する特徴量抽出部と、前記色再現特性取得部で取得した補正前の色再現特性を使用したときの画像と前記色再現特性補正部で補正後の色再現特性を使用したときの画像とを含む確認画像を作成するための元となる評価画像を、前記特徴量に基づき選択する評価画像選択部と、を備える画像処理システムである。
請求項８に記載の発明は、コンピュータに、表示装置の色再現特性を取得する色再現特性取得機能と、前記色再現特性を補正する色再現特性補正機能と、前記色再現特性取得機能で取得した前記色再現特性を補正する対象となった特徴量を抽出する特徴量抽出機能と、前記色再現特性取得機能で取得した補正前の色再現特性を使用したときの画像と前記色再現特性補正機能で補正後の色再現特性を使用したときの画像とを含む確認画像を作成するための元となる評価画像を、前記特徴量に基づき選択する評価画像選択機能と、を実現させるプログラムである。
【発明の効果】
【０００７】
請求項１の発明によれば、キャリブレーションの内容に適した確認画像を選択し、確認画像を見たユーザがキャリブレーションの効果を確認しやすい画像処理装置を提供することができる。
請求項２の発明によれば、キャリブレーションの効果をより確認しやすくなる。
請求項３の発明によれば、階調特性をわかりやすく確認することができる。
請求項４の発明によれば、階調特性の確認がさらにわかりやすくなる。
請求項５の発明によれば、色再現特性を表すのにより適したものを適用することができる。
請求項６の発明によれば、キャリブレーションの内容に適した確認画像を選択し、確認画像を見たユーザがキャリブレーションの効果を確認しやすい画像処理方法を提供することができる。
請求項７の発明によれば、表示装置のキャリブレーションの効果をユーザが確認しやすい画像処理システムを提供することができる。
請求項８の発明によれば、キャリブレーションの内容に適した確認画像を選択し、確認画像を見たユーザがキャリブレーションの効果を確認しやすくすることができる機能をコンピュータにより実現できる。
【図面の簡単な説明】
【０００８】
【図１】本実施の形態における画像処理システムの構成例を示す図である。
【図２】コンピュータ装置のハードウェア構成を示した図である。
【図３】補正を行なった色領域と確認画像の色領域とを比較した概念図である。
【図４】本実施の形態のコンピュータ装置の機能構成例を示したブロック図である。
【図５】コンピュータ装置の動作について説明したフローチャートである。
【図６】（ａ）〜（ｃ）は、ディフェクトとして色合いのずれが生じているときに、評価画像を選択する方法について示した図である。
【図７】図６（ｃ）で選択された評価画像を元に作成された確認画像の例を示した図である。
【図８】（ａ）〜（ｃ）は、ディフェクトとして階調つぶれが生じているときに、評価画像を選択する方法について示した図である。
【図９】（ａ）〜（ｂ）は、ディフェクトとして階調つぶれが生じているときに、評価画像を選択する他の方法について示した図である。
【図１０】図８（ｃ）で選択された評価画像を元に作成された確認画像の例を示した図である。
【図１１】（ａ）〜（ｄ）は、図１０で示した階調画像を作成する方法について示した図である。
【図１２】（ａ）〜（ｂ）は、ディフェクトとして色温度のずれが生じているときに、評価画像を選択する方法について示した図である。
【図１３】実施例３による確認画像の例を示した図である。
【発明を実施するための形態】
【０００９】
以下、添付図面を参照して、本発明の実施の形態について詳細に説明する。
【００１０】
＜画像処理システム全体の説明＞
図１は、本実施の形態が適用される画像処理システム１０の構成の一例を示した図である。
この画像処理システム１０は、表示のための画像データの作成等を行うコンピュータ装置２０と、コンピュータ装置２０で作成された画像データに基づく画像を表示画面３１に表示する表示装置３０と、コンピュータ装置２０に対する入力等を受け付ける入力装置４０とを備えている。
【００１１】
この画像処理システム１０において、コンピュータ装置２０および表示装置３０はＤＶＩ（Digital Visual Interface）を介して接続されており、コンピュータ装置２０および入力装置４０はＵＳＢ（Universal Serial Bus）を介して接続されている。なお、コンピュータ装置２０および表示装置３０については、ＤＶＩに代えて、ＨＤＭＩ（High-Definition Multimedia Interface：登録商標）やDisplayPortを介して接続するようにしてもかまわない。
【００１２】
画像処理装置の一例としてのコンピュータ装置２０は、所謂汎用のパーソナルコンピュータである。そして、コンピュータ装置２０は、ＯＳ（Operating System）の管理下において、各種アプリケーションソフトウェアを動作させることで、画像データの作成等を行うようになっている。
【００１３】
また、表示装置３０は、例えばＰＣ用の液晶ディスプレイ、液晶テレビあるいはプロジェクタなど、加法混色にて画像を表示する機能を備えたもので構成される。したがって、表示装置３０における表示方式は、液晶方式に限定されるものではない。ここで、本実施の形態では、表示装置３０が、赤（Ｒ）、緑（Ｇ）および青（Ｂ）の３色を用いて画像の表示を行っているものとする。なお、図１は、表示装置３０としてＰＣ用の液晶ディスプレイを用いた場合を例示していることから、表示装置３０内に表示画面３１が設けられているが、表示装置３０として例えばプロジェクタを用いる場合、表示画面３１は、表示装置３０の外部に設けられたスクリーン等となる。
【００１４】
さらに、入力装置４０としては、例えば図１に示すキーボード装置や、図示しないマウス装置等が挙げられる。
【００１５】
この画像処理システム１０では、例えば入力装置４０およびコンピュータ装置２０を用いて作成した画像データに基づく画像（表示用画像）を、表示装置３０の表示画面３１に表示させるようになっている。ここで、コンピュータ装置２０で動作するアプリケーションソフトウェアを用いて製品のデザイン等を行う場合には、表示装置３０における表示画面３１に、画像を正しい色で表示させることが要求される。このため、この画像処理システム１０では、コンピュータ装置２０で作成した測色用画像データに基づく測色用画像を表示装置３０にて表示画面３１に表示させ、表示画面３１に表示された測色用画像を読み取った結果に基づいて、表示画面３１に表示させる色を較正するキャリブレーション動作を実行できるようになっている。
【００１６】
また、本実施の形態の画像処理システム１０では、上記キャリブレーション動作の後に、キャリブレーションの結果を確認させるための、確認画像を表示装置３０の表示画面３１に表示させることができるようになっている。この確認画像は、詳しくは後述するが、例えば、キャリブレーション前の画像とキャリブレーション後の画像とを並べて表示するものである。この画像処理システム１０では、コンピュータ装置２０で作成した確認画像データに基づく確認画像を表示装置３０にて表示画面３１に表示させる。そしてユーザは、双方の差異を比較することで、キャリブレーションの結果を確認することができる。
【００１７】
ここで、図１には、キャリブレーション動作で用いられ、表示装置３０の表示画面３１に表示された測色用画像の読み取りに使用される測色器１００を、画像処理システム１０と併せて示している。
【００１８】
測色器１００は、赤（Ｒ）、緑（Ｇ）および青（Ｂ）の３色にて画像を読み取るセンサ（図示せず）を備えており、表示画面３１に表示された測色用画像を、所謂フルカラーにて測定することが可能となっている。また、図１に示す例において、測色器１００は、ＰＣ用液晶ディスプレイからなる表示装置３０の筐体の上方側から吊り下げられており、センサを用いた受光面が表示画面３１に接触する所謂接触型となっている。そして、この例において、測色器１００およびコンピュータ装置２０はＵＳＢを介して接続されている。また、測色器１００は、吊り下げ用のホルダ（図示せず）を用いて表示画面３１上に配置されるようになっている。なお、表示装置３０として例えばプロジェクタを用いる場合、測色器１００は、プロジェクタを用いてスクリーンに投影された測色用画像を、スクリーンから離れた位置から撮影する所謂非接触型となる。
【００１９】
図２は、コンピュータ装置２０のハードウェア構成を示した図である。
コンピュータ装置２０は、上述したようにパーソナルコンピュータ等により実現される。そして図示するように、コンピュータ装置２０は、演算手段であるＣＰＵ（Central Processing Unit）２１と、記憶手段であるメインメモリ２２およびＨＤＤ（Hard Disk Drive）２３とを備える。ここで、ＣＰＵ２１は、ＯＳ（Operating System）やアプリケーションソフトウェア等の各種プログラムを実行する。また、メインメモリ２２は、各種プログラムやその実行に用いるデータ等を記憶する記憶領域であり、ＨＤＤ２３は、各種プログラムに対する入力データや各種プログラムからの出力データ等を記憶する記憶領域である。さらに、コンピュータ装置２０は、入力装置４０や表示装置３０を含む外部との通信を行うための通信インタフェース（以下、「通信Ｉ／Ｆ」と表記する）２４を備えている。
【００２０】
ここで上述した確認画像は、コンピュータ装置２０が予め用意した画像のセットを元にして作成する。しかし確認画像を表示画面３１に表示したときに、これらの確認画像の中にキャリブレーションを行なった内容に合致するものが含まれていないときがある。例えば、キャリブレーションとして色合いのずれを補正したときに、確認画像の中に補正を行なった色領域の色が含まれていないようなときである。
【００２１】
図３は、補正を行なった色領域と確認画像の色領域とを比較した概念図である。
図では、表示装置３０の色域を斜線で示している。そして色合いのずれを補正した色領域を補正領域として図示している。また確認画像の色領域は、円形で示す内側の領域である。この場合、ユーザは、確認画像を見ても色合いのずれを補正した効果がわからないことになる。
そこで本実施の形態では、コンピュータ装置２０がキャリブレーションの内容に適した確認画像を作成し、ユーザが、確認画像を見てキャリブレーションの効果を確認しやすくする。
【００２２】
＜コンピュータ装置２０の説明＞
図４は、本実施の形態のコンピュータ装置２０の機能構成例を示したブロック図である。
図示するコンピュータ装置２０は、測色用画像選択部２１１と、画像データ記憶部２１２と、画像データ送信部２１３と、色データ取得部２１４と、第１の色変換部２１５と、第２の色変換部２１６と、評価部２１７と、補正係数作成部２１８と、色変換テーブル作成部２１９と、特徴量抽出部２２０と、評価画像選択部２２１と、確認画像作成部２２２とを備える。
【００２３】
測色用画像選択部２１１は、表示装置３０の色調整を行うために使用する画像を選択する。この色調整を行うために使用される画像は、上述した測色用画像である。
【００２４】
画像データ記憶部２１２は、測色用画像選択部２１１で選択される測色用画像の画像データである測色用画像データを記憶する。測色用画像選択部２１１は、画像データ記憶部２１２から選択した測色用画像データを取得する。
【００２５】
画像データ送信部２１３は、表示装置３０の色調整を行うために、測色用画像選択部２１１が選択した測色用画像データを表示装置３０に向けて出力する。この測色用画像データは、ＲＧＢ色空間におけるＲ、Ｇ、Ｂの色信号であるＲ０、Ｇ０、Ｂ０として出力される。
【００２６】
表示装置３０では、画像データ送信部２１３により送信された測色用画像データを基に測色用画像が順に表示される。表示装置３０に表示された測色用画像は、測色器１００により色が読み取られる。そして測色器１００は、それぞれの測色用画像を読み取ることで取得した色情報（色データ）をコンピュータ装置２０に対し送信する。このとき測色器１００が出力する色データは、例えば、ＸＹＺ色空間におけるＸ、Ｙ、Ｚの各色値である。
【００２７】
色データ取得部２１４は、測色器１００により送信された測色用画像の色データを、それぞれの測色用画像について取得する。
【００２８】
第１の色変換部２１５は、色データ取得部２１４が取得した測色用画像の色データを、デバイス非依存の色空間の色値に変換する。本実施の形態では、測色用画像の色データとして使用されるＸＹＺ色空間におけるＸ、Ｙ、Ｚの各色値を、Ｌ＊ａ＊ｂ＊色空間におけるＬ＊、ａ＊、ｂ＊の各色値に変換する。この変換は、既知の変換式により行なうことができる。ここでは、変換後のＬ＊、ａ＊、ｂ＊の各色値をＬ１＊、ａ１＊、ｂ１＊とする。そしてこれにより測色用画像の色データ（Ｒ０、Ｇ０、Ｂ０）とＬ１＊、ａ１＊、ｂ１＊とを関連付けた対応関係（第１の対応関係）が得られる。この第１の対応関係は、表示装置３０の色再現特性を表す。よって色再現特性（第１の対応関係）は、測色用画像データとこの測色用画像データを表示装置３０に入力したときに表示される画像の色データとの関係であり、（Ｒ０、Ｇ０、Ｂ０）−（Ｌ１＊、ａ１＊、ｂ１＊）の関係となる。なお第１の色変換部２１５は、表示装置３０の色再現特性を取得する色再現特性取得部として機能する。
【００２９】
なお測色器１００によっては、Ｌ１＊、ａ１＊、ｂ１＊の各色値を直接出力することができる場合がある。このときは、第１の色変換部２１５における色値の変換は不要である。
【００３０】
第２の色変換部２１６は、測色用画像選択部２１１が選択した測色用画像データを、デバイス非依存の色空間の色値に変換する。この変換は、既知の変換式により行なうことができる。本実施の形態では、測色用画像データとして使用されるＲＧＢ色空間におけるＲ、Ｇ、Ｂの各色値を、Ｌ＊ａ＊ｂ＊色空間におけるＬ＊、ａ＊、ｂ＊の各色値に変換する。ここでは、変換後のＬ＊、ａ＊、ｂ＊の各色値をＬ２＊、ａ２＊、ｂ２＊とする。これにより測色用画像データ（Ｒ０、Ｇ０、Ｂ０）とＬ２＊、ａ２＊、ｂ２＊とを関連付けた対応関係（第２の対応関係）が得られる。よって第２の対応関係は、（Ｒ０、Ｇ０、Ｂ０）−（Ｌ２＊、ａ２＊、ｂ２＊）の関係となる。
【００３１】
評価部２１７は、色再現特性（第１の対応関係）と第２の対応関係とから、表示装置３０における色再現性にディフェクト（欠陥）が生じているか否かを評価する。具体的には色再現特性（第１の対応関係）の第２の対応関係からのずれ量を評価し、このずれ量と予め定められた閾値とを比較することで、色再現性にディフェクトが生じているか否かを評価する。つまり第２の対応関係は、この場合、目標点であり、実際の測定値である色再現特性（第１の対応関係）は、評価の対象となる評価点である。そして評価部２１７は、評価点である色再現特性（第１の対応関係）が、目標点である第２の対応関係に対しどの程度ずれているかで、色再現性にディフェクトが生じているか否かを評価する。
なおこの場合、評価部２１７は、表示装置３０のキャリブレーションを行なうか否かを評価すると言うこともできる。
【００３２】
評価部２１７が、色再現性にディフェクトが生じているか否かを評価する評価項目については、詳しくは後述するが、評価部２１７は、例えば、ディフェクトとして色合い（色相、彩度）のずれ、階調つぶれ、階調とび、色温度ずれ、階調段差が生じているか否かを評価する。
【００３３】
補正係数作成部２１８は、目標点である第２の対応関係に、評価点である色再現特性（第１の対応関係）を合わせる補正をするための補正係数を導出する。この場合、補正係数作成部２１８は、色再現特性（第１の対応関係）と第２の対応関係とに基づきこの色再現特性を補正する色再現特性補正部として機能する。
【００３４】
色変換テーブル作成部２１９は、補正係数作成部２１８で導出した補正係数に基づき、表示装置３０にて表示する画像の色を変換する色変換テーブル（変換関係）を作成する。この色変換テーブルは、色変換プロファイルであり、例えば、多次元テーブルであるＤＬＵＴ（Direct Look Up Table）、Ｍａｔｒｉｘ、一次元ＬＵＴ（Look Up Table）などの形式になっている。
この色変換テーブルは、上記Ｒ０、Ｇ０、Ｂ０の色信号を補正後のＲ’、Ｇ’、Ｂ’の色信号に変換するものとなる。そして色変換テーブル作成部２１９が作成した色変換テーブルを使用することで、表示装置３０のキャリブレーションを行なったことになる。
【００３５】
特徴量抽出部２２０は、色再現特性取得部で取得した色再現特性（第１の対応関係）を補正する対象となった特徴量を抽出する。
詳しくは後述するが、この特徴量は、ディフェクトが色合いのずれだったときは、色合いのずれが生じている色領域である。またディフェクトが階調つぶれ、階調とび、階調段差だったときは、これらが生じている階調値である。さらにディフェクトが色温度ずれだったときは、色温度である。
【００３６】
評価画像選択部２２１は、第１の色変換部２１５で取得した補正前の色再現特性（第１の対応関係）を使用したときの画像と補正係数作成部２１８で補正後の色再現特性を使用したときの画像とを含む確認画像を作成するための元となる評価画像を、特徴量に基づき選択する。
つまり評価画像は、表示装置３０に実際に表示する確認画像を作成するためのベースとなる画像である。評価画像選択部２２１は、ディフェクトが色合いのずれだったときは、色合いのずれが生じていた色領域の色を含む画像を評価画像として選択する。またディフェクトが階調つぶれ、階調とび、階調段差だったときは、これらが生じていた階調値の範囲を含む画像を評価画像として選択する。さらにディフェクトが色温度ずれだったときは、色温度を確認するための白色画像を評価画像として選択する。
この評価画像の画像データは、画像データ記憶部２１２に記憶されている。評価画像選択部２２１は、画像データ記憶部２１２から選択した評価画像の画像データを取得する。
【００３７】
確認画像作成部２２２は、表示装置３０で実際に表示する確認画像を作成する。確認画像作成部２２２は、確認画像として、補正前の色再現特性（第１の対応関係）を使用したときの画像（キャリブレーション前の状態を示す画像）と補正後の色再現特性を使用したときの画像（キャリブレーション後の状態を示す画像）とを並べて表示するものとなる。また確認画像作成部２２２は、これらの画像を特徴量に応じて変更し作成する。
【００３８】
確認画像作成部２２２が作成した確認画像の画像データである確認画像データは、画像データ送信部２１３が表示装置３０に向けて出力する。その結果、確認画像が表示装置３０に表示される。そしてユーザは、この確認画像を見てキャリブレーションの効果を確認することができる。
【００３９】
次にコンピュータ装置２０の動作について説明する。
図５は、コンピュータ装置２０の動作について説明したフローチャートである。なお以下に説明するコンピュータ装置２０の動作は、画像処理システム１０により行なわれる画像処理方法であると捉えることもできる。
【００４０】
まず測色用画像選択部２１１が、表示装置３０の色調整を行うために使用する測色用画像を選択し、測色用画像データを画像データ記憶部２１２から取得する（ステップ１０１）。
【００４１】
次に画像データ送信部２１３は、測色用画像選択部２１１で選択された測色用画像データを表示装置３０に順次送信する（ステップ１０２）。この測色用画像データは、Ｒ０、Ｇ０、Ｂ０の色信号である。表示装置３０では、この測色用画像が順次表示される。
【００４２】
表示された測色用画像は、測色器１００により色が読み取られ、測色器１００は、測色結果としての色データをコンピュータ装置２０に対し送信する。この色データは、Ｘ、Ｙ、Ｚの各色値となる。
【００４３】
この色データは、色データ取得部２１４により取得される（ステップ１０３）。
次に第１の色変換部２１５が、測色用画像の色データであるＸ、Ｙ、Ｚの各色値を、Ｌ１＊、ａ１＊、ｂ１＊の各色値に変換する（ステップ１０４）。これにより色再現特性（第１の対応関係）が得られる。よってステップ１０４は、表示装置の色再現特性を取得する色再現特性取得工程として捉えることができる。
【００４４】
一方、第２の色変換部２１６は、測色用画像データであるＲ０、Ｇ０、Ｂ０の各色値を、Ｌ２＊、ａ２＊、ｂ２＊の各色値に変換する（ステップ１０５）。これにより第２の対応関係が得られる。
【００４５】
次に評価部２１７が、色再現特性（第１の対応関係）と第２の対応関係とから、表示装置３０における色再現性にディフェクト（欠陥）が生じているか否かを評価する（ステップ１０６）。
【００４６】
そして評価部２１７がディフェクトが生じていないと評価した場合（ステップ１０６でＮｏ）、一連の処理を終了する。
対して評価部２１７がディフェクトが生じていると評価した場合（ステップ１０６でＹｅｓ）、補正係数作成部２１８が、第２の対応関係に、色再現特性（第１の対応関係）を合わせる補正をするための補正係数を導出する（ステップ１０７：色再現特性補正工程）。このステップ１０７は、色再現特性を補正する色再現特性補正工程として捉えることができる。
【００４７】
そして色変換テーブル作成部２１９が、導出した補正係数に基づき、表示装置３０にて表示する画像の色を変換する色変換テーブル（変換関係）を作成する（ステップ１０８）。
【００４８】
さらに特徴量抽出部２２０が、色再現特性（第１の対応関係）を補正する対象となった特徴量を抽出する（ステップ１０９）。このステップ１０９は、色再現特性取得工程で取得した色再現特性を補正する対象となった特徴量を抽出する特徴量抽出工程として捉えることができる。
【００４９】
次に評価画像選択部２２１が、評価画像を特徴量に基づき選択し、この評価画像の画像データを画像データ記憶部２１２から取得する（ステップ１１０）。このステップ１１０は、色再現特性取得工程で取得した補正前の色再現特性を使用したときの画像と色再現特性補正工程で補正後の色再現特性を使用したときの画像とを含む確認画像を作成するための元となる評価画像を、特徴量に基づき選択する評価画像選択工程として捉えることができる。
【００５０】
さらに確認画像作成部２２２は、表示装置３０で実際に表示する確認画像を作成する（ステップ１１１）。
【００５１】
そして画像データ送信部２１３が、確認画像の画像データである確認画像データを表示装置３０に送信する（ステップ１１２）。その結果、確認画像が表示装置３０に表示される。
【実施例】
【００５２】
以下、本発明を実施例を用いてより詳細に説明するが、本発明は、その要旨を越えない限りこれらの実施例により限定されるものではない。
【００５３】
（実施例１）
実施例１では、ディフェクトとして色合いのずれが生じているときに、評価画像を選択する方法について説明する。
図６（ａ）〜（ｃ）は、ディフェクトとして色合いのずれが生じているときに、評価画像を選択する方法について示した図である。
このうち図６（ａ）は、色合いのずれが生じている色領域を示している。図で点線で示した領域は、表示装置３０の色域である。そして評価部２１７が、ディフェクトとして色合いのずれが生じていると評価した評価点を示し、さらに目標点を併せて示している。評価部２１７は、評価点と目標点との色値のずれ量を算出し、このずれ量が予め定められた閾値より大きかったときにディフェクトとして色合いのずれが生じていると評価する。
また色合いのずれが生じている色領域を円形の色領域Ｓで示している。この色領域Ｓは、図示した評価点を中心とした予め定められた範囲として定められる。この場合、評価点から予め定められたユークリッド距離にある色領域を予め定められた範囲とする。そしてこの色領域が特徴量抽出部２２０が抽出する特徴量となる。
【００５４】
評価画像選択部２２１は、この特徴量に基づき、色合いのずれが生じている色領域の色を含む画像を評価画像として選択する。
図６（ｂ）は、画像データ記憶部２１２が記憶する評価画像のリストを示した図である。
図示するリストの場合、評価画像が、「色合い１」〜「色合いＮ」のＮ個用意されている。そしてリストには、左側から、「色合い１」〜「色合いＮ」を示す「Ｎｏ．」が記載され、さらにそれぞれの評価画像に含まれる代表色を３つ抽出し、これらが「代表色１」〜「代表色３」として記載されている。この「代表色１」〜「代表色３」は、代表色をＬ＊、ａ＊、ｂ＊（図ではＬａｂと簡略化して図示）で示すとともに、この代表色が使用されている面積を示している。
【００５５】
そして評価画像選択部２２１は、このリストを基に色合いのずれが生じている色領域の色を含む画像を評価画像として選択する。具体的には、上記評価点が（Ｌ＊、ａ＊、ｂ＊）＝（３０、４０、−２０）であったとする。そして色合いのずれが生じている色領域の色である（Ｌ＊、ａ＊、ｂ＊）＝（２８、４２、−２３）を「代表色２」として含む「色合い１」を評価画像として選択する。
【００５６】
なお図６（ｃ）は、選択された評価画像である「色合い１」を示している。この評価画像は、夕焼けの画像であり、全体が赤色となっている。つまり評価点である（Ｌ＊、ａ＊、ｂ＊）＝（３０、４０、−２０）が赤色であり、この色を含むため、評価画像として適した画像である。
【００５７】
図７は、図６（ｃ）で選択された評価画像を元に作成された確認画像の例を示した図である。
図示する確認画像は、表示装置３０の表示画面３１に表示するものである。そしてこの確認画像では、確認画像が示す内容である「色合い補正確認」の項目が、画面左上側に表示されている。そして補正前の色再現特性（第１の対応関係）を使用したときの画像（キャリブレーション前の状態を示す画像）が、画面中央の左側に表示されている。さらに補正後の色再現特性を使用したときの画像（キャリブレーション後の状態を示す画像）が、画面中央の右側に表示されている。即ち、これらの２つの画像は、左右に並べて表示されている。なお画面下部には１〜１０までの数値が表示されている。これは、色合いの補正の程度を画面上で確認するためのものであり、三角で示した２つのアイコンをマウス等で選択することで色合いの補正の程度が変化する。この場合、ユーザは、この操作により色合いの補正の程度を変更することができる。
【００５８】
（実施例２）
実施例２では、ディフェクトとして階調つぶれが生じているときに、評価画像を選択する方法について説明する。
図８（ａ）〜（ｃ）は、ディフェクトとして階調つぶれが生じているときに、評価画像を選択する方法について示した図である。
このうち図８（ａ）は、階調つぶれが生じているときの階調特性を示している。図８（ａ）では、ＲＧＢデータとして、Ｒ色、Ｇ色の階調値を０とし、Ｂ色の階調値を変化させて評価用画像データとしたときに表示される画像の輝度（Ｌ＊）を示している。即ち、評価用画像データは、（Ｒ、Ｇ、Ｂ）＝（０、０、０）〜（Ｒ、Ｇ、Ｂ）＝（０、０、２５５）の範囲で変化させている。そして図８（ａ）では、横軸は、Ｂ色の階調値を表し、縦軸は、輝度（Ｌ＊）を表している。
【００５９】
図８（ａ）では、階調値が小さい領域で、階調値が増加しても輝度がほとんど変化しない箇所が存在する。この箇所では、階調値が変化しても表示される画像の輝度がほとんど変化せず、表示される画像は、階調を表現することができない。即ち、表示される画像に階調つぶれが生じる。
【００６０】
評価部２１７は、階調値が小さい領域（低階調領域）において、隣接する評価点（図で黒丸で示した点）における輝度の差が予め定められた閾値以下のときにディフェクトとして階調つぶれが生じていると評価する。図では矩形で表示した箇所に階調つぶれが生じている。またここでは、特徴量抽出部２２０は、階調つぶれが生じている箇所における階調値の最大値を特徴量として抽出する。この場合、特徴量抽出部２２０は、特徴量として階調値＝１０を抽出する。
【００６１】
評価画像選択部２２１は、この特徴量に基づき、特徴量の階調値を含む画像を評価画像として選択する。
図８（ｂ）は、画像データ記憶部２１２が記憶する評価画像のリストを示した図である。
図示するリストの場合、評価画像が、「階調１」〜「階調Ｎ」のＮ個用意されている。そしてリストには、左側から、「階調１」〜「階調Ｎ」を示す「Ｎｏ．」が記載され、さらにそれぞれの評価画像で確認するのに適した色（Ｒ、Ｇ、Ｂの何れか）と階調再現範囲とが記載されている。
【００６２】
そして評価画像選択部２２１は、このリストを基に特徴量の階調値を含む画像を評価画像として選択する。具体的には、色がＢ色であり、特徴量である階調値＝１０を含む「階調２」を評価画像として例えば選択する。
【００６３】
なお図８（ｃ）は、選択された評価画像である「階調２」を示している。この評価画像は、青色の塗色を有する自動車の画像である。そして青色の塗色の箇所は、全体として暗く、階調値は低い。つまり評価点である階調値＝１０を含むため、評価画像として適した画像である。
【００６４】
上述した例では、Ｒ、Ｇ、Ｂの色毎に階調つぶれを評価していたが、これに限られるものではなく、Ｒ、Ｇ、Ｂの色毎によらない方法もある。
図９（ａ）〜（ｂ）は、ディフェクトとして階調つぶれが生じているときに、評価画像を選択する他の方法について示した図である。
図９（ａ）において、横軸は、階調値を表し、縦軸は、輝度（Ｌ＊）を表している。ただしＲＧＢデータとして、Ｒ色、Ｇ色、Ｂ色のそれぞれの階調値を同一の値で変化させて評価用画像データとしたときに表示される画像の輝度（Ｌ＊）を示している。即ち、評価用画像データは、（Ｒ、Ｇ、Ｂ）＝（０、０、０）〜（Ｒ、Ｇ、Ｂ）＝（２５５、２５５、２５５）の範囲で変化させている。つまりこの場合、Ｇｒａｙ色についての階調つぶれを評価することになる。
【００６５】
この場合も、階調値が小さい領域（低階調領域）で、階調値が増加しても輝度がほとんど変化しない箇所が存在し、この箇所で階調つぶれが生じている。
【００６６】
この場合も評価部２１７は、隣接する評価点（図で黒丸で示した点）における輝度の差が予め定められた閾値以下のときにディフェクトとして階調つぶれが生じていると評価する。図では矩形で表示した箇所に階調つぶれが生じている。また同様にして、特徴量抽出部２２０は、階調つぶれが生じている箇所における階調値の最大値を特徴量として抽出する。この場合、特徴量抽出部２２０は、特徴量として階調値＝１０を抽出する。
【００６７】
評価画像選択部２２１は、この特徴量に基づき、特徴量の階調値を含む画像を評価画像として選択する。
図９（ｂ）は、つぶれレベルと特徴量との関係を示した図である。
図９（ｂ）では、上段につぶれレベルを示す。この場合、つぶれレベルは、１〜５まで設定される。そしてこの数値が大きくなるほど階調つぶれの程度が大きく、数値が小さくなるほど階調つぶれの程度が小さいことを示す。そしてつぶれレベルに対応する特徴量が設定される。
【００６８】
評価画像選択部２２１は、つぶれレベルに基づき評価画像を選択する。この場合、特徴量は、階調値＝１０であるため、つぶれレベル２が対応し、このつぶれレベル２に対応する評価画像が選択される。
【００６９】
図１０は、図８（ｃ）で選択された評価画像を元に作成された確認画像の例を示した図である。
図示する確認画像では、確認画像が示す内容である「階調補正確認」の項目が、画面左上側に表示されている。そして補正前の色再現特性（第１の対応関係）を使用したときの画像（キャリブレーション前の状態を示す画像）が、画面中央の左側に表示されている。さらに補正後の色再現特性を使用したときの画像（キャリブレーション後の状態を示す画像）が、画面中央の右側に表示されている。即ち、これらの２つの画像は、左右に並べて表示されている。
さらにここでは、補正前の色再現特性（第１の対応関係）を使用したときの画像（キャリブレーション前の状態を示す画像）が、画面中央上部の上側に「補正前」として表示されている。これは補正前の階調特性をグラデーションで表した階調画像である。同様に補正後の色再現特性を使用したときの画像（キャリブレーション後の状態を示す画像）が、画面中央上部の下側に「補正後」として表示されている。これも補正後の階調特性をグラデーションで表した階調画像である。即ち、これらの２つの画像は、上下に並べて表示されている。なお評価点以外の箇所は補間処理を行なうことでグラデーションで表した階調画像が作成できる。
【００７０】
図１１（ａ）〜（ｄ）は、図１０で示した階調画像を作成する方法について示した図である。
このうち図１１（ａ）〜（ｂ）は、階調画像を作成するのに通常使用される方法を示している。そして図１１（ａ）は、キャリブレーション前（補正前）の状態を示す画像として階調画像を作成する場合を示す。また図１１（ｂ）は、キャリブレーション後（補正後）の状態を示す画像として階調画像を作成する場合を示す。
【００７１】
図１１（ａ）では、階調値が小さい領域（低階調領域）では、階調値が増加するとそれに応じて輝度が増加し、表示される画像が階調を表現することができる。しかし階調値が大きい領域（高階調領域）では、階調値が増加しても輝度がほとんど変化しない箇所が存在する。この箇所では、表示される画像は、階調を表現することができず、飽和輝度で画像が表示される。即ち、表示される画像に階調とびが生じる。評価部２１７は、階調値が大きい領域（高階調領域）において、隣接する評価点（図で黒丸で示した点）における輝度の差が予め定められた閾値以下のときにディフェクトとして階調とびが生じていると評価する。
対して図１１（ｂ）では、キャリブレーションを行ない、階調値が大きい領域（高階調領域）で、階調とびが生じないようにしている。
【００７２】
そして図１１（ａ）や図１１（ｂ）の場合では、それぞれの階調値に応じた輝度で階調画像を作成している。つまり階調画像の左端は、階調値が０のときの輝度とし、階調画像の右端は、階調値が２５５のときの輝度としている。ただし図１１（ａ）と図１１（ｂ）とで、それぞれの階調値に応じた輝度は、大きく変化しないため、両者の差異がわかりにくい確認画像となる。
【００７３】
また図１１（ｃ）〜（ｄ）は、階調画像を作成するのに他の方法を採用した場合を示している。そして図１１（ｃ）は、キャリブレーション前（補正前）の状態を示す画像として階調画像を作成する場合を示す。また図１１（ｄ）は、キャリブレーション後（補正後）の状態を示す画像として階調画像を作成する場合を示す。
【００７４】
そして図１１（ａ）や図１１（ｂ）の場合では、階調画像の左端は、階調が表現できる範囲の最も大きい階調値のときの輝度としている。つまり階調画像の左端は、階調値が０のときの輝度ではない。一方、階調画像の右端は、階調値が２５５のときの輝度としている。この場合、図１１（ｃ）と図１１（ｄ）とで、キャリブレーションを行なった箇所について拡大して階調画像を作成することになり、両者の差異がわかりやすい確認画像となる。なおここでは、階調画像を作成するのに階調が表現できる範囲において最も大きい場合の１つを用いたが、複数としてもよい。
【００７５】
（実施例３）
実施例３では、ディフェクトとして色温度のずれが生じているときに、評価画像を選択する方法について説明する。
図１２（ａ）〜（ｂ）は、ディフェクトとして色温度のずれが生じているときに、評価画像を選択する方法について示した図である。
このうち図１２（ａ）は、評価部２１７が、ディフェクトとして色温度のずれが生じていると評価した場合に、基準となる色温度と色データを基に算出した色温度とを比較した図である。評価部２１７は、この両者の色温度の差分を色温度のずれ量として算出し、このずれ量が予め定められた閾値より大きかったときにディフェクトとして色温度のずれが生じていると評価する。この場合、色温度若しくは色温度の差分が特徴量抽出部２２０が抽出する特徴量となる。
【００７６】
評価画像選択部２２１は、この特徴量に基づき、色温度のずれに応じた画像を評価画像として選択する。
図１２（ｂ）は、影響度と色温度の差分との関係を示した図である。
図１２（ｂ）では、上段に影響度を示す。この場合、影響度は、１〜５まで設定される。そしてこの数値が大きくなるほど影響度の程度が大きく、数値が小さくなるほど影響度の程度が小さいことを示す。そして影響度に対応する特徴量として色温度の差分が設定される。
評価画像選択部２２１は、この影響度に基づき評価画像を選択する。
【００７７】
図１３は、実施例３による確認画像の例を示した図である。
なお図１３は、色温度についての確認画像だけでなく、階調つぶれについての確認画像と階調とびの確認画像を併せて表示する場合を図示している。
図示する確認画像では、画面左側に色温度のずれ（色温度ずれ）、階調つぶれ、階調とびの評価項目についての評価結果が表示されている。なお階調つぶれおよび階調とびについては、Ｒ、Ｇ、Ｂの各色とＧｒａｙ色について評価している。また評価結果は、レベル１〜５の数値として表示されるとともに、ディレクトが生じていない場合は、「ＯＫ」、ディレクトが生じている場合は、「ＮＧ」として表示される。なおレベルは、数値が小さくなるほど程度が小さく、ディフェクトが生じていないと評価される方向になる。対して数値が大きくなるほど程度が大きく、ディフェクトが生じていると評価される方向になる。
【００７８】
また画面中央部には、上側からそれぞれ色温度についての確認画像、階調つぶれについての確認画像、および階調とびについての確認画像が表示されている。
このうち色温度についての確認画像は、白色画像をキャリブレーション前（補正前）とキャリブレーション後（補正後）とで左右に並べて表示するものである。
また階調つぶれについての確認画像および階調とびについての確認画像は、上述した階調画像が上下に並べて表示するものである。さらにこれらの確認画像では、階調とびや階調つぶれが生じている箇所を補正前の確認画像中において矩形領域として表示し、ユーザが確認を行ないやすくしている。
【００７９】
なお図示するようにこのときこれらの画像の背景を黒色とすることが好ましい。これにより階調画像における階調変化が確認しやすくなる。
【００８０】
以上詳述したコンピュータ装置２０によれば、キャリブレーションの内容に適した確認画像を選択し、確認画像を見たユーザがキャリブレーションの効果を確認しやすくなる。
【００８１】
＜プログラムの説明＞
ここで以上説明を行った本実施の形態におけるコンピュータ装置２０が行なう処理は、例えば、アプリケーションソフトウェア等のプログラムとして用意される。
【００８２】
よって本実施の形態でコンピュータ装置２０が行なう処理は、コンピュータに、表示装置３０の色再現特性を取得する色再現特性取得機能と、色再現特性を補正する色再現特性補正機能と、色再現特性取得機能で取得した色再現特性を補正する対象となった特徴量を抽出する特徴量抽出機能と、色再現特性取得機能で取得した補正前の色再現特性を使用したときの画像と色再現特性補正機能で補正後の色再現特性を使用したときの画像とを含む確認画像を作成するための元となる評価画像を、特徴量に基づき選択する評価画像選択機能と、を実現させるプログラムとして捉えることができる。
【００８３】
なお、本実施の形態を実現するプログラムは、通信手段により提供することはもちろん、ＣＤ−ＲＯＭ等の記録媒体に格納して提供することも可能である。
【００８４】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００８５】
１０…画像処理システム、２０…コンピュータ装置、３０…表示装置、２１１…測色用画像選択部、２１２…画像データ記憶部、２１３…画像データ送信部、２１４…色データ取得部、２１５…第１の色変換部、２１６…第２の色変換部、２１７…評価部、２１８…補正係数作成部、２１９…色変換テーブル作成部、２２０…特徴量抽出部、２２１…評価画像選択部、２２２…確認画像作成部
【図１】
2018026696.tif 000003
【図２】
2018026696.tif 000004
【図３】
2018026696.tif 000005
【図４】
2018026696.tif 000006
【図５】
2018026696.tif 000007
【図６】
2018026696.tif 000008
【図７】
2018026696.tif 000009
【図８】
2018026696.tif 000010
【図９】
2018026696.tif 000011
【図１０】
2018026696.tif 000012
【図１１】
2018026696.tif 000013
【図１２】
2018026696.tif 000014
【図１３】
2018026696.tif 000015